(57)【特許請求の範囲】
【請求項１】
第１主面と、前記第１主面と表裏の関係にある第２主面とを有する透明基材と、
前記透明基材の前記第２主面と接触するように設けられ、前記第１主面側から視認される表示部と、からなる単位パネルが、複数連結されたタイリングパネルであって、
一の単位パネルと、他の単位パネルとが連結されているとき、
一の単位パネルの端面には、他の単位パネルの表示部と同様の端面表示部を設け、
他の単位パネルの端面には、一の単位パネルの表示部と同様の端面表示部を設け、
前記表示部及び前記端面表示部が印刷であることを特徴とするタイリングパネル。
【請求項２】
前記透明基材がレンチキュラーレンズであることを特徴とする請求項１に記載のタイリングパネル。
【発明の詳細な説明】
【技術分野】
【０００１】
本発明は、透明基材の裏面に表示部を有する単位パネルが、複数連結されることで構成されるタイリングパネルに関するものである。
【背景技術】
【０００２】
透明基材の裏面に表示部を有する単位パネルが、複数連結されることで構成されるタイリングパネルにおいては、複数の単位パネルの表示部が連結されることで、例えば、複数の表示部による図柄を、前記透明基材の表面から視認可能となり、広告などに供することが可能となる。
【０００３】
タイリングパネルにおいては、透明基材の裏面における、それぞれの表示部に、全体図柄の一部が描画されており、タイリングパネル全体として、全体図柄を表示することが可能となり、壁面等の広い面に表示を行うことができるようになっている。
【０００４】
なお、単位パネルは、透明基材の成型とインクジェット印刷による図柄描画で製造するため、製造設備の制約により１ｍ角程度までしか大面積化できない。このため、建物の外壁や、大型の看板などの大面積に表示を行うような場合には、複数の単位パネルを連結して、前記のようなタイリングパネルとして使用する。
【０００５】
上記のようなタイリングパネルの類例としては、特許文献１（特開２００９−１９３０４０号公報）に、大型液晶モバイルパネルの数枚を接続して大型パネルを作成し、ビル側壁、屋上等に設置する装置が開示されている。
【特許文献１】特開２００９−１９３０４０号公報
【発明の概要】
【発明が解決しようとする課題】
【０００６】
図９は従来のタイリングパネル５０を構成する単位パネル１０を連結する前段階における斜視図であり、図１０は従来のタイリングパネル５０の斜視図である。また、図１１は従来のタイリングパネルの問題点を説明する図である。図１１は、図１０の線Ｘ−Ｘ’を含む垂直面でタイリングパネル５０をきってみた図であり、単位パネルの連結部を拡大してみた図である。また、この図はタイリングパネルを厚さ方向できってみた断面図である。なお、連結部は、例えば、接着剤層などである。
【０００７】
図１１に示すように、厚みがあるタイリングパネルを斜めから観察すると、連結部に位置する単位パネルの端面での全反射より、連結部においては、透過像ではなく反射像が視認されるために、タイリングパネルの図柄が不連続に表示されてしまう、という問題があった。
【課題を解決するための手段】
【０００８】
本発明は以上のような課題を解決するためのものであり、本発明に係るタイリングパネルは、第１主面と、前記第１主面と表裏の関係にある第２主面とを有する透明基材と、前記透明基材の前記第２主面と接触するように設けられ、前記第１主面側から視認される表示部と、からなる単位パネルが、複数連結されたタイリングパネルであって、一の単位パネルと、他の単位パネルとが連結されているとき、一の単位パネルの端面には、他の単位パネルの表示部と同様の端面表示部を設け、他の単位パネルの端面には、一の単位パネルの表示部と同様の端面表示部を設け、前記表示部及び前記端面表示部が印刷であることを特徴とする。
【０００９】
また、本発明に係るタイリングパネルは、前記透明基材がレンチキュラーレンズであることを特徴とする。
【発明の効果】
【００１２】
本発明のタイリングパネルによれば、複数の単位パネルを連結したタイリングパネルの図柄表示において、斜め方向から観察される図柄の視認性を改善することが可能となる。
【図面の簡単な説明】
【００１３】
【図１】本発明の実施形態に係るタイリングパネル５０を構成する単位パネル１０を連結する前段階における斜視図である。
【図２】本発明の実施形態に係るタイリングパネル５０の斜視図である。
【図３】単位パネル１０を連結する前段階における端面２５近傍の拡大図である。
【図４】図２の線Ｘ−Ｘ’を含む垂直面でタイリングパネル５０をきってみた図である。
【図５】他の実施形態に係るタイリングパネル５０において、単位パネル１０を連結する前段階における端面２５近傍の拡大図である。
【図６】本発明の他の実施形態に係るタイリングパネル５０を構成する単位パネル１０を連結する前段階における斜視図である。
【図７】図４の線Ｙ−Ｙ’を含む垂直面で単位パネル１０をきってみた図である。
【図８】本発明の他の実施形態に係るタイリングパネル５０の斜視図である。
【図９】従来のタイリングパネル５０を構成する単位パネル１０を連結する前段階における斜視図である。
【図１０】従来のタイリングパネル５０の斜視図である。
【図１１】従来のタイリングパネルの問題点を説明する図である。
【発明を実施するための形態】
【００１４】
以下、本発明の実施の形態を図面を参照しつつ説明する。図１は本発明の実施形態に係るタイリングパネル５０を構成する単位パネル１０を連結する前段階における斜視図であり、図２は本発明の実施形態に係るタイリングパネル５０の斜視図である。また、図３は単位パネル１０を連結する前段階における端面２５近傍の拡大図である。図４は図２の線Ｘ−Ｘ’を含む垂直面でタイリングパネル５０をきってみた図である。なお、連結させる単位パネル１０の数は、任意である。
【００１５】
以下、図３及び図４では、連結する２つの単位パネル１０の構成を明確にする場合には、サフィックスａ、ｂを用いることとするが、一般的な説明を行う場合には、サフィックスａ、ｂは省略する。
【００１６】
単位パネル１０を構成する透明基材２０は、第１主面２１と、第１主面２１と表裏の関係にある第２主面２２とを有している。また、透明基材２０における、第１主面２１と第２主面２２以外の面は、端面２５としてみることができる。
【００１７】
表示部３０は、透明基材２０の第２主面２２と接触するように設けられている。このような表示部３０は、本例では、インクジェット印刷によって形成しているが、表示部３０を構成するものはこのようなものに限定されるわけではない。例えば、表示部３０として液晶表示装置を用いても良い。
【００１８】
ここで、透明基材２０は、可視光に対する透過率が所定値以上のものを用いられており、表示部３０は、第１主面２１側から視認できるようになっている。なお、透明基材２０を構成する材料としては、アクリルのような有機合成樹脂材料でも良いし、ガラス基板のような無機材料でも良い。
【００１９】
単位パネル１０は、上記のような透明基材２０と、表示部３０とから、基本的に構成されている。ただし、タイリングパネル５０の図柄によっては、単位パネル１０に表示部３０を設けないような場合も考えられる。
【００２０】
タイリングパネル５０は、上記のように構成される複数の単位パネル１０の端面２５同士を、例えば、接着剤などを用いて連結することで完成する。接着剤などが固化したことにより形成される接着層が連結部４０である。
【００２１】
従来、厚みがあるタイリングパネル５０を斜めから観察すると、連結部４０に位置する単位パネルの端面での全反射より、連結部４０においては、透過像ではなく反射像が視認されるために、タイリングパネル５０の図柄が不連続に表示されてしまう、という問題があった。
【００２２】
以下、このための解決手段を図３及び図４を参照して説明する。以下、単位パネル１０ａと、単位パネル１０ｂとを連結する場合で説明する。
【００２３】
図３に示すように、単位パネル１０ａの端面２５ａには、単位パネル１０ｂの表示部３０ｂと同様の端面表示部２６ｂを設けるようにしている。また、単位パネル１０ｂの端面２５ｂには、単位パネル１０ａの表示部３０ａと同様の端面表示部２６ａを設けるようにしている。
【００２４】
これにより、連結部４０で単位パネル１０ａと単位パネル１０ｂとを連結した場合、例えば、図４に示すように、タイリングパネル５０を斜めから見る場合、単位パネル１０ａの表示部３０ａと同様の端面表示部２６ｂが、単位パネル１０ａ、１０ｂとの間の連結部で見えることとなるので、このような本発明のタイリングパネル５０によれば、複数の単位パネル１０を連結したタイリングパネルの図柄表示において、斜め方向から観察される図柄の視認性を改善することが可能となる。
【００２５】
なお、表示部３０と端面表示部２６とが同様であるとは、表示部３０と端面表示部２６とに同じ図柄が用いられる、ということである。
【００２６】
また、連結部４０としては遮光性があるものを用いると、端面表示部２６ａの図柄と、端面表示部２６ｂの図柄とが混色して見えてしまうことを防止することができる。
【００２７】
次に、単位パネル１０ａと単位パネル１０ｂとを連結する際の他の態様について説明する。図５は他の実施形態に係るタイリングパネル５０において、単位パネル１０を連結する前段階における端面２５近傍の拡大図である。
【００２８】
本実施形態では、仕切り板２７を設けると共に、単位パネル１０ａと連結する予定の仕切り板２７の一面には、表示部３０ｂと同様の端面表示部２６ａを設けるようにし、単位パネル１０ｂと連結する予定の仕切り板２７の他面には、表示部３０ａと同様の端面表示部２６ｂを設けるようにしている。
【００２９】
以上のように構成した上、不図示の接着剤などで、単位パネル１０ａと仕切り板２７と
単位パネル１０ｂとを連結して、タイリングパネル５０となす。このような実施形態によっても、先の実施形態と同様の効果を享受することができる。
【００３０】
次に、本発明の他の実施形態について説明する。図６は本発明の他の実施形態に係るタイリングパネル５０を構成する単位パネル１０を連結する前段階における斜視図である。本例では、２つの単位パネル１０を連結する例に基づいて説明するが、連結する単位パネル１０の数は任意である。
【００３１】
また、図７は図６の線Ｙ−Ｙ’を含む垂直面で単位パネル１０をきってみた図である。線Ｙ−Ｙ’の方向は、本実施形態で、透明基材２０として用いられるレンチキュラーレンズ２９の表面のレンズ形状の周期が進行する方向である。
【００３２】
他の実施形態では、透明基材２０として、レンチキュラーレンズ２９を用いると共に、表示部３０として、印刷部３３と太陽電池部３５とが、レンチキュラーレンズ２９のレンズ形状の周期に伴い、交互に設けられた構成が採用されている。
【００３３】
図８は本発明の他の実施形態に係るタイリングパネル５０の斜視図である。図６に示す単位パネル１０を連結部４０によって連結したものである。このような他の実施形態に係るタイリングパネル５０は、太陽電池複合表示体として用いることができる。
【００３４】
この太陽電池複合表示体は、レンチキュラーレンズ２９による表示物の絵柄の一部を太陽電池に置き換えた表示物のことである。ある特定の角度では、絵柄からの反射光が出射し、別の特定の角度では太陽光が太陽電池に入射することで、絵柄の視認性と太陽電池の発電を両立することができる。このような太陽電池複合表示体に係る詳細な構成については、例えば、発明者らによる特願２０１３−２０５０５４、特願２０１３−２０５０５５、特願２０１３−２０５０５６の記載内容を参照して援用する。
【００３５】
本実施形態においても、レンチキュラーレンズ２９ａの端面には、レンチキュラーレンズ２９ｂの印刷部３３ｂと同様の端面表示部２６ｂを設けるようにしている。また、レンチキュラーレンズ２９ｂの端面には、レンチキュラーレンズ２９ａの印刷部３３ａと同様の端面表示部２６ａを設けるようにしている。
【００３６】
以上のように構成される、他の実施形態に係るタイリングパネル５０によっても、複数の単位パネル１０を連結したタイリングパネル５０の図柄表示において、斜め方向から観察される図柄の視認性を改善することが可能となる。
【符号の説明】
【００３７】
１０・・・単位パネル
２０・・・透明基材
２１・・・第１主面
２２・・・第２主面
２５・・・端面
２６・・・端面表示部
２７・・・仕切り板
２９・・・レンチキュラーレンズ
３０・・・表示部
３３・・・印刷部
３５・・・太陽電池部
４０・・・連結部
５０・・・タイリングパネル
【図１】
0006439912.tif 000002
【図２】
0006439912.tif 000003
【図３】
0006439912.tif 000004
【図４】
0006439912.tif 000005
【図５】
0006439912.tif 000006
【図６】
0006439912.tif 000007
【図７】
0006439912.tif 000008
【図８】
0006439912.tif 000009
【図９】
0006439912.tif 000010
【図１０】
0006439912.tif 000011
【図１１】
0006439912.tif 000012